(57)【要約】【課題】熱源機で消費される燃料ガスの料金を認識可能にして、さらなる省エネルギーを促すことが可能な浴室乾燥機を提供する。【解決手段】ガスを燃料とする熱源機１６で加熱した温水を、往き配管接続部５２から浴室乾燥機本体９に送り込み、熱交換器１３で放熱させた後、戻り配管接続部６２から熱源機へ戻す構成の浴室乾燥機において、浴室乾燥機本体に送られる温水の温度を検出する温水往き温度検出部ＴＨ２と、熱源機へ戻る温水の温度を検出する温水戻り温度検出部ＴＨ４と、浴室乾燥機本体に送り込まれる温水の流量または熱源機へ戻る温水の流量Ｑ１を検出する温水流量検出部Ｑと、温水往き温度検出部の検出温度、温水戻り温度検出部の検出温度および温水流量検出部の検出流量に基づいて、熱源機で消費した燃料ガスのガス料金を求める演算回路２９を備えた制御部Ｂと、制御部により求めたガス料金を表示するガス料金表示部ＥＤとを備えた構成とする。【選択図】図１
2017113254.tif 000002
【特許請求の範囲】
【請求項１】
ガスを燃料とする熱源機で加熱した温水を、往き配管を経由して浴室乾燥機本体が備える往き配管接続部から前記浴室乾燥機本体に送り込み、前記浴室乾燥機本体が備える熱交換器で放熱させた後、前記浴室乾燥機本体が備える戻り配管接続部から戻り配管を経由して前記熱源機へ戻すように構成された浴室乾燥機であって、
前記往き配管接続部から前記浴室乾燥機本体に送り込まれる温水の温度を検出する温水往き温度検出部と、
前記戻り配管接続部から前記熱源機へ戻る温水の温度を検出する温水戻り温度検出部と、
前記往き配管接続部から前記浴室乾燥機本体に送り込まれる温水の流量、または、前記戻り配管接続部から前記熱源機へ戻る温水の流量を検出する温水流量検出部と、
前記温水往き温度検出部の検出温度、前記温水戻り温度検出部の検出温度、および、前記温水流量検出部の検出流量に基づいて、前記熱源機で消費した燃料ガスのガス料金を求める演算回路を備えた制御部と、
前記制御部により求めた前記ガス料金を表示するガス料金表示部と
を備えることを特徴とする浴室乾燥機。
【請求項２】
前記制御部が、前記温水往き温度検出部の検出温度、前記温水戻り温度検出部の検出温度、および、前記温水流量検出部の検出流量に基づいて、当該浴室乾燥機で消費された熱量を消費熱量として求めるとともに、前記消費熱量と前記熱源機で消費された燃料ガスが保有していた熱量との関係を示す所定の係数および前記消費熱量に基づいて、前記熱源機で消費した燃料ガスの熱量を求め、求めた前記燃料ガスの熱量に燃料ガスの単位熱量当たりの単価を乗じて、前記ガス料金表示部に表示すべきガス料金を求めるように構成されていることを特徴とする請求項１記載の浴室乾燥機。
【請求項３】
前記制御部が、前記温水往き温度検出部の検出温度の平均値、および、前記温水戻り温度検出部の検出温度の平均値に基づいて、前記ガス料金を求めるように構成されていることを特徴とする請求項２記載の浴室乾燥機。
【請求項４】
燃料ガスの単位熱量当たりの単価を、変更して設定することができるように構成されていることを特徴とする請求項２または３記載の浴室乾燥機。
【請求項５】
前記所定の係数を、変更して設定することができるように構成されていることを特徴とする請求項２〜４のいずれかに記載の浴室乾燥機。
【発明の詳細な説明】
【技術分野】
【０００１】
本発明は、室内を衣類などを乾燥させるための乾燥機として機能させることが可能な浴室乾燥機に関する。
【背景技術】
【０００２】
浴室乾燥機には、衣類や室内などの乾燥対象物の湿りの程度に応じて乾燥運転を行うとともに、ランニングコストの低減を図った浴室乾燥機がある。
【０００３】
例えば、特許文献１には、室内の空気を吸気として吸い込み、一部を屋外に排気するととも残りの吸気を加熱手段により加熱して温風として室内に吹き出すことで室内を加熱乾燥する温風乾燥運転と、室内の空気を吸い込んで、吸気の一部を屋外に排気するとともに残りの吸気を加熱手段により加熱せずに室内に吹き出すことで室内を送風乾燥する送風乾燥運転とを行う暖房乾燥機が提案されている。
【０００４】
そして、この暖房乾燥機において、温風乾燥運転は、上記送風乾燥運転に引き続いて所定時間実行される第１の予備温風乾燥運転と、第１の予備温風乾燥運転終了後の送風乾燥運転に引き続いて所定時間実行される第２の予備温風乾燥運転と、第２の予備温風乾燥運転終了後の送風乾燥運転に引き続いて実行される本温風乾燥運転とからなり、第１の予備温風乾燥運転を行ったときの湿度検出手段による検出湿度を一の湿度とし、第２の予備温風乾燥運転を行ったときの湿度検出手段による検出湿度を他の湿度とし、一の湿度から他の湿度を減じた湿度差が大きくなるほど本温風乾燥運転を実行する本温風乾燥運転時間が短くなるように、演算手段により湿度差に応じて本温風乾燥運転時間が設定されるように構成されている。
【０００５】
この暖房乾燥機によれば、エネルギーを節約してランニングコストの低減を図ることが可能になり、有意義である。
【先行技術文献】
【特許文献】
【０００６】
【特許文献１】特開２０１２−１０５７５５号公報
【発明の概要】
【発明が解決しようとする課題】
【０００７】
しかしながら、近年、省エネルギーの必要性が益々増大しており、浴室乾燥機の制御方法を工夫することにより、エネルギーのさらなる節約を可能にすることが求められているのが実情である。
【０００８】
本願発明は、上記の課題を解決するもので、浴室乾燥機の使用に伴い熱源機で消費される燃料ガスの料金を容易に認識することができるようにして、さらなる省エネルギーを促すことが可能な浴室乾燥機を提供することを目的とする。
【課題を解決するための手段】
【０００９】
上記の目的を達成するために、出願人は種々の検討を行い、使用者に、浴室乾燥機の使用に伴い、ガスを燃料とする熱源機で消費した燃料ガスのガス料金を認識してもらうようにすることができれば、ランニングコストの低減に対する意識や、省エネルギーに対する意識の高まりが期待できるものと考え、さらに検討を行って、本発明を完成するに至った。
【００１０】
すなわち、本発明の浴室乾燥機は、
ガスを燃料とする熱源機で加熱した温水を、往き配管を経由して浴室乾燥機本体が備える往き配管接続部から前記浴室乾燥機本体に送り込み、前記浴室乾燥機本体が備える熱交換器で放熱させた後、前記浴室乾燥機本体が備える戻り配管接続部から戻り配管を経由して前記熱源機へ戻すように構成された浴室乾燥機であって、
前記往き配管接続部から前記浴室乾燥機本体に送り込まれる温水の温度を検出する温水往き温度検出部と、
前記戻り配管接続部から前記熱源機へ戻る温水の温度を検出する温水戻り温度検出部と、
前記往き配管接続部から前記浴室乾燥機本体に送り込まれる温水の流量、または、前記戻り配管接続部から前記熱源機へ戻る温水の流量を検出する温水流量検出部と、
前記温水往き温度検出部の検出温度、前記温水戻り温度検出部の検出温度、および、前記温水流量検出部の検出流量に基づいて、前記熱源機で消費した燃料ガスのガス料金を求める演算回路を備えた制御部と、
前記制御部により求めた前記ガス料金を表示するガス料金表示部と
を備えることを特徴としている。
【００１１】
また、本発明の浴室乾燥機においては、前記制御部が、前記温水往き温度検出部の検出温度、前記温水戻り温度検出部の検出温度、および、前記温水流量検出部の検出流量に基づいて、当該浴室乾燥機で消費された熱量を消費熱量として求めるとともに、前記消費熱量と前記熱源機で消費された燃料ガスが保有していた熱量との関係を示す所定の係数および前記消費熱量に基づいて、前記熱源機で消費した燃料ガスの熱量を求め、求めた前記燃料ガスの熱量に燃料ガスの単位熱量当たりの単価を乗じて、前記ガス料金表示部に表示すべきガス料金を求めるように構成されていることが好ましい。
【００１２】
また、前記制御部が、前記温水往き温度検出部の検出温度の平均値、および、前記温水戻り温度検出部の検出温度の平均値に基づいて、前記ガス料金を求めるように構成されていることが好ましい。
【００１３】
また、燃料ガスの単位熱量当たりの単価を、変更して設定することができるように構成されていることが好ましい。
【００１４】
また、前記所定の係数を、変更して設定することができるように構成されていることが好ましい。
【発明の効果】
【００１５】
本発明の浴室乾燥機は、上述のように構成されており、温水往き温度検出部の検出温度、温水戻り温度検出部の検出温度、および、温水流量検出部の検出流量に基づいて、熱源機で消費した燃料ガスのガス料金を求める演算回路を備えた制御部と、制御部により求めたガス料金を表示するガス料金表示部とを備えているので、使用者に、浴室乾燥機の使用に伴い、熱源機で消費した燃料ガスの料金を容易かつ確実に認識してもらうことが可能になり、ランニングコストの低減や、省エネルギーに対する意識の高まりを期待することが可能になる。
【００１６】
また、本発明の浴室乾燥機において、制御部が、温水往き温度検出部の検出温度、温水戻り温度検出部の検出温度、および、温水流量検出部の検出流量に基づいて、当該浴室乾燥機で消費された熱量を消費熱量として求めるとともに、消費熱量と熱源機で消費された燃料ガスが保有していた熱量との関係を示す所定の係数および消費熱量に基づいて、熱源機で消費した燃料ガスの熱量を求め、求めた燃料ガスの熱量に燃料ガスの単位熱量当たりの単価を乗じて、ガス料金表示部に表示すべきガス料金を求めるように構成されている場合、種々の燃料に対応して、ガス料金を表示することが可能になる。
【００１７】
また、温水往き温度検出部の検出温度の平均値、および、温水戻り温度検出部の検出温度の平均値に基づいて、ガス料金を求めるように構成した場合、ガス料金を求めるための演算が簡素化され、本発明をより実効あらしめることができる。
【００１８】
また、燃料ガスの単位熱量当たりの単価を、変更して設定することができるように構成することにより、ガス料金が改訂された場合にも、適切にガス料金を表示することが可能になり、好ましい。
【００１９】
また、所定の係数を、変更して設定することができるように構成した場合、熱源機と浴室乾燥機とを接続する温水配管での熱ロスを含むη（所定の係数）を設定することが可能になり、熱源機と浴室乾燥機とを接続する温水配管の長さに関わらず、適切にガス料金を表示することができるようになる。
【図面の簡単な説明】
【００２０】
【図１】本発明の一実施形態にかかる浴室乾燥機の構成を示す縦断面図である。
【図２】本発明の一実施形態にかかる浴室乾燥機の内部の配管を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器（第１の操作器）の正面図である。
【図６】本発明の一実施形態にかかる浴室乾燥機が備える浴室用の操作器（第２の操作器）の正面図である。
【発明を実施するための形態】
【００２１】
以下、本発明の実施形態を示して、その特徴とするところをさらに詳しく説明する。
【００２２】
［実施形態］
この実施形態にかかる浴室乾燥機は、図１〜３に示すように、ユニットバスなどの浴室２に設置されるミスト機能付浴室暖房乾燥機（以下、単に「浴室暖房乾燥機Ａ」という）として構成されている。
【００２３】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２４】
また、この浴室暖房乾燥機Ａを浴室２に設置するにあたっては、例えば、図３に示すように、浴槽７の上方の、浴室２の天井８に設置される。
【００２５】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２６】
また、図１および図２に示すように、浴室暖房乾燥機本体９内には、熱交換器（温風用熱交換器）（加熱部）１３および送風機１４（１４ａ，１４ｂ）が内装されている。
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
【００２７】
また、図１および図２に示すように、暖房用温水管路１５には温風用熱交換器１３への温水の供給を開閉する熱動弁１７が設けられており、暖房用温水管路１５にはこの管路を流れる温水の温度を検出する暖房温水往きサーミスタＴＨ２が配設されている。
【００２８】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と、戻り配管６１とが配設されている。
【００２９】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００３０】
さらに、浴室暖房乾燥機本体９の下面側には循環ファン１４ａで送風される空気を浴室２内に吹き出す吹き出し口３が設けられている。この吹き出し口３には可動ルーバー１８を回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３１】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００３２】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
【００３３】
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３４】
ミスト用給水管路２０には、水道水、いわゆる上水が供給されるように構成されており、入口側から順にストレーナ２２、給水電磁弁２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３５】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３６】
また、浴室暖房乾燥機Ａは、図３に示すように、浴室２外の脱衣所に設けた第１の操作器５や浴室２内に設けた第２の操作器３０にてリモコン操作されるように構成されている。
【００３７】
図５に示すように、脱衣所用の操作器（第１の操作器）５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３８】
また、図６に示すように、浴室用の操作器（第２の操作器）３０には、状態表示部４０、ミストサウナスイッチ３４、ミストスイッチ４１、温度設定スイッチ４２、暖房スイッチ３６、涼風スイッチ３７、風向スイッチ３３、ミスト入浴時間計測用のストップウォッチのスタート／ストップスイッチ４３、リセットスイッチ４５、停止スイッチ３９が設けられている。
【００３９】
この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００４０】
湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４１】
また、図４は、浴室暖房乾燥機Ａの制御部Ｂの一例を示す図である。制御部Ｂには、メモリ２８、演算回路２９などが内蔵され、上記第１の操作器５や第２の操作器３０をリモコン操作することで制御部Ｂにて、以下に説明するような制御が行われるように構成されている。
【００４２】
次に、この実施形態にかかる浴室暖房乾燥機Ａの乾燥運転について説明する。なお、ここでは、自動乾燥運転時における、残り運転時間表示機能を備えた浴室暖房乾燥機Ａの乾燥運転について説明する。
【００４３】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００４４】
乾燥運転が開始すると、換気ファン１４ｂが作動するとともに、循環ファン１４ａが作動し、循環ファン１４ａによって浴室暖房乾燥機本体９内に取り込まれた空気が、温風用熱交換器（加熱部）１３により加熱される。
【００４５】
そして、乾燥運転開始後、時間Ｔ１（例えば２５分）が経過したかどうかを判定し、この時間Ｔ１が経過していた場合、以下の、湿度検出用循環加熱運転を実行する。
【００４６】
湿度検出用循環加熱運転では、換気ファン１４ｂを停止するとともに、循環ファン１４ａの作動および温風用熱交換器（加熱部）１３による加熱を継続する。
【００４７】
そして、湿度検出用循環加熱運転の実行中に、湿度検出手段２７によって検出された湿度の上昇速度が所定の上昇速度以下であると判定したとき、それまで表示されていなかった、タイマー表示部（時間表示部）３１への、乾燥運転の残時間の表示を開始し、その後、時間の経過とともにタイマー表示部（時間表示部）３１に表示した残時間のカウントダウンを行い、タイマー表示部（時間表示部）３１に表示した残時間がゼロになるまで乾燥運転を継続する。
【００４８】
この実施形態では、湿度検出用循環加熱運転中の換気ファン１４ｂの停止中における、所定期間（例えば７分）の開始時の湿度検出手段２７による検出湿度Ｈ１と、この所定期間（例えば７分）の終了時の湿度検出手段２７による検出湿度Ｈ２を求め、Ｈ２とＨ１との差Ｈ（Ｈ＝Ｈ２−Ｈ１）が所定の判定値以下である場合に、前記上昇速度が所定の上昇速度以下であると判定する。
【００４９】
さらに具体的に説明すると、この実施形態では、検出される空気の絶対湿度Ｈ（＝Ｈ２−Ｈ１）が、
Ｈ＝−０．０７４３×４０×２×ｅｘｐ（−１５）
以下のときに、湿度検出手段２７によって検出された湿度の上昇速度が所定の上昇速度以下であると判定し、タイマー表示部（時間表示部）３１に３０分を表示し、その後、時間の経過とともにタイマー表示部（時間表示部）３１に表示した残時間（３０分）のカウントダウンを行い、タイマー表示部（時間表示部）３１に表示した残時間がゼロになるまで乾燥運転を継続する。
【００５０】
さらに、この実施形態の浴室暖房乾燥機Ａでは、それまで表示されていなかった、タイマー表示部（時間表示部）３１への、乾燥運転の残時間の表示を開始した後に、上記湿度検出用循環加熱運転を実行して、湿度検出手段２７によって検出された湿度の上昇速度が前記所定の上昇速度より大きいと判定したときには、その後、上記湿度検出用循環加熱運転を繰り返し行い、繰り返し行った上記湿度検出用循環加熱運転中において、湿度検出手段２７によって検出された湿度の上昇速度が所定の上昇速度以下であると判定した時点で、タイマー表示部（時間表示部）３１への、乾燥運転の残時間の更新表示を行うようにしている。このように構成することで、例えば、浴室内に、濡れた洗濯物などが追加された場合にも、洗濯物や、浴室などの乾燥が不充分になってしまうことが抑制される。
【００５１】
＜特徴的構成＞
次に、この実施形態にかかる浴室暖房乾燥機Ａの特徴的な構成について説明する。
【００５２】
浴室暖房乾燥機Ａに温水を供給する熱源機１６は、都市ガスなどのガスを燃焼させて温水を得るように構成されている。
【００５３】
浴室暖房乾燥機Ａには、往き配管５１を経て、往き配管接続部５２（図１）から浴室暖房乾燥機Ａに送り込まれる温水の温度を検出する上述の温水往き温度検出部（暖房温水往きサーミスタ）ＴＨ２に加え、浴室暖房乾燥機Ａに備える戻り配管接続部６２（図１）から戻り配管６１を経由して熱源機１６へ戻る温水の温度を検出する温水戻り温度検出部（暖房温水戻りサーミスタ）ＴＨ４（図１、図２、図４）を備えている。
【００５４】
また、浴室暖房乾燥機Ａに備える戻り配管接続部６２（図１）から戻り配管６２を経由して熱源機１６へ戻る温水の流量を検出する流量センサ（温水流量検出部）Ｑ（図１、図２、図４）を備えている。
【００５５】
この実施形態では、流量センサ（温水流量検出部）Ｑとして、流量センサＱを通過する温水の量に比例した数のパルスを出力する形態の流量センサが用いられている。さらに具体的には、流量センサ（温水流量検出部）Ｑを通過する温水の量が１リットルのとき、流量センサＱから１００個のパルスを出力するように構成されている。したがって、流量センサＱから出力されるパルスの数を１００で除する（割る）ことで、流量センサＱを通過する温水の量を検出することができる。
【００５６】
なお、流量センサ（温水流量検出部）Ｑとして、流量センサＱを通過する温水の量に比例した数のパルスを出力する形態の流量センサではなく、熱線型の流量計や電磁流量計のように、流量センサを通過する温水の単位時間当たりの流量に応じた出力が得られる形態の流量センサを用いて、その出力を時間の経過によって積分して通過する温水の量を求めるようにすることも可能である。
また、第１の操作器５（図５）は、ガス料金表示スイッチＥＳ、および、ガス料金表示ランプ（ＬＥＤ）ＥＬを備えている。
【００５７】
また、第１の操作器５（図５）は、ガス料金表示部ＥＤを備えている。この実施形態では、タイマー表示部３１がガス料金表示部ＥＤを兼ねている。ただし、ガス料金表示部ＥＤをタイマー表示部３１と別に設けてもよい。
【００５８】
ガス料金表示スイッチＥＳを押し操作することで、ガス料金表示ランプ（ＬＥＤ）ＥＬが点灯し、ガス料金表示ランプ（ＬＥＤ）ＥＬが点灯している期間における、熱源機１６で消費される燃料ガスＧのガス料金ＧＲ（単位：円）を以下のように演算する。
【００５９】
（１）浴室暖房乾燥機Ａで消費される熱量Ｏｐ（単位：ｋｃａｌ）の演算
Ｏｐ＝（Ｔ２−Ｔ４）・Ｑ１  ……（Ａ）
ただし、
Ｑ１＝流量センサＱで検出された温水の流量（単位：リットル）
Ｔ２＝暖房温水往きサーミスタＴＨ２による検出温度（単位：℃）
Ｔ４＝暖房温水戻りサーミスタＴＨ４による検出温度（単位：℃）
【００６０】
（２）熱源機１６で消費された燃料ガスＧが保有していた熱量Ｉｐ（単位：ｋｃａｌ）の演算
Ｉｐ＝Ｏｐ／η  ……（Ｂ）
ただし、η＝熱源機１６で消費された燃料ガスＧが保有していた熱量Ｉｐに対する、浴室暖房乾燥機Ａで消費される熱量Ｏｐの比（変換効率＝所定の係数）
【００６１】
（３）ガス料金ＧＲ（単位：円）の演算
ＧＲ＝Ｉｐ・ＧＴ  ……（Ｃ）
ただし、ＧＴ＝燃料ガスＧの単位熱量あたりの単価（単位：円／ｋｃａｌ）
なお、この実施形態では、浴室暖房乾燥機Ａが工場から出荷された状態では、上記ηは０．９に設定されており、上記ＧＴは１７１／１１０００に設定されている。
【００６２】
例えば、浴室暖房乾燥機Ａが５時間暖房運転を行い、
ａ）暖房温水往きサーミスタ（温水往き温度検出部）ＴＨ２による検出温度Ｔ２の平均値が８０℃、
ｂ）暖房温水戻りサーミスタ（温水戻り温度検出部）ＴＨ４による検出温度Ｔ４の平均値が６０℃、
ｃ）流量センサ（温水流量検出部）Ｑで検出された温水の流量Ｑ１が９００リットル（毎分２リットルの状態を７．５時間＝４５０分継続）とすると、
上記の式（Ａ）、式（Ｂ）、式（Ｃ）により、
Ｏｐ＝（８０−６０）・９００＝１８００（ｋｃａｌ）
Ｉｐ＝１８００／０．９＝２０００（ｋｃａｌ）
ＧＲ＝２０００・（１７１／１１０００）≒３１円
とガス料金が求まる。
【００６３】
上述のように、この実施形態では、暖房温水往きサーミスタ（温水往き温度検出部）ＴＨ２による検出温度Ｔ２として、対象期間における、暖房温水往きサーミスタＴＨ２による検出温度の平均値を用い、暖房温水戻りサーミスタ（温水戻り温度検出部）ＴＨ４による検出温度Ｔ４として、対象期間における、暖房温水戻りサーミスタＴＨ４による検出温度の平均値を用いている。これは熱源機１６から供給される温水の温度が変動すること、および、熱源機１６から供給される温水の温度の変動に伴い、熱源機１６に戻る温水の温度も変動することを考慮したものである。
【００６４】
このように、Ｔ２やＴ４が変動する場合は、ガス料金の演算にあたり、Ｔ２やＴ４の平均値を用いるとガス料金を求めるための演算が簡素化される。
【００６５】
なお、上記の変換効率（＝所定の係数）η、および、燃料ガスＧの単位熱量あたりの単価ＧＴは、いずれも使用者によって変更して設定することができるように構成されている。
【００６６】
上述のように、変換効率（＝所定の係数）ηを変更設定可能に構成することにより、熱源機１６と浴室暖房乾燥機Ａとを接続する温水配管での熱ロスを含むη（所定の係数）を設定することが可能になり、熱源機１６と浴室暖房乾燥機Ａとを接続する温水配管の長さに関わらず、適切にガス料金を表示することが可能になる。
【００６７】
また、上述のように、燃料ガスＧの単位熱量あたりの単価ＧＴを変更設定可能に構成することより、ガス料金が改訂された場合にも、適切にガス料金を表示することが可能であり、ガス料金の改訂に柔軟に対応することができる。
【００６８】
なお、使用者が変換効率（＝所定の係数）ηおよびＧ燃料ガスＧの単位熱量あたりの単価Ｔをどのように変更設定するかについては、種々の構成が採用可能であることから、ここでは、ηおよびＧＴの変更設定についての詳細な説明は省略する。
【００６９】
また、この実施形態の浴室暖房乾燥機においては、ガス料金表示ランプ（ＬＥＤ）ＥＬが点灯している期間における、熱源機１６で消費される燃料ガスＧのガス料金ＧＲを演算すると、ガス料金ＧＲがガス料金表示部ＥＤに表示される。
そして、使用者は、ガス料金表示部ＥＤに表示されたガス料金ＧＲを認識することにより、容易にガス料金ＧＲを知ることができるため、ランニングコストの低減や、省エネルギーに対する意識の高まりを期待することが可能になる。
【００７０】
上述のように、この実施形態では、タイマー表示部３１がガス料金表示部ＥＤを兼ねており、タイマー表示部３１が時間表示を行っている期間は、ガス料金表示部ＥＤを兼ねるタイマー表示部３１に時間表示とガス料金とが交互に表示される。このように、タイマー表示部３１がガス料金表示部ＥＤを兼ねるように構成することにより、コストの低減を図ることができる。ただし、ガス料金表示部ＥＤをタイマー表示部３１と別に設けてもよいことは前述の通りである。
【００７１】
本発明は上記実施形態に限定されるものではなく、発明の範囲内において種々の応用、変形を加えることが可能である。
【符号の説明】
【００７２】
１        吸い込み口
２        浴室
３        吹き出し口
５        操作器（第１の操作器）
１２      グリル板
１３      熱交換器（温風用熱交換器）（加熱部）
１４      送風機
１４ｂ    換気ファン
１４ａ    循環ファン
１５      暖房用温水管路
１６      熱源機
１７      熱動弁１７
１８      可動ルーバー
１９      ミスト発生部
２０      ミスト用給水管路
２１ａ，２１ｂ    ミスト開閉弁
２２      ストレーナ
２３      給水電磁弁
２４      ミスト加熱用管路
２５      比例弁
２６      ミスト用熱交換器
２７      湿度検出手段（湿度センサ）
２８      メモリ
２９      演算回路
３０      操作器（第２の操作器）
３１      タイマー表示部（時間表示部）
５１      往き配管
５２      往き配管接続部
６１      戻り配管
６２      戻り配管接続部
Ａ        浴室乾燥機
Ｂ        制御部
ＥＤ      ガス料金表示部
ＥＬ      ガス料金表示ランプ（ＬＥＤ）
ＥＳ      ガス料金表示スイッチ
ＴＨ１    ミスト温度サーミスタ
ＴＨ２    温水往き温度検出部（暖房温水往きサーミスタ）
ＴＨ３    浴室温度サーミスタ
ＴＨ４    温水戻り温度検出部（暖房温水戻りサーミスタ）
【図１】
2017113254.tif 000003
【図２】
2017113254.tif 000004
【図３】
2017113254.tif 000005
【図４】
2017113254.tif 000006
【図５】
2017113254.tif 000007
【図６】
2017113254.tif 000008